(57)【特許請求の範囲】
【請求項１】
複数のセルを直列接続して構成された組電池を主電源とする電動機器の動作休止中に該組電池のセル間の残容量ばらつきを低減するセル容量調整装置であって、
セル容量調整目標電圧を設定するセル容量目標値設定手段と、
前記組電池の各セルの開放電圧を検出し、前記セル容量調整目標電圧以上の電圧値のセルの中から所定個のセルを選択するセル選択手段と、
前記セル選択手段によって選択されたセルを該電動機器の動作休止中にも稼動するユニットへ接続し、当該セルから前記ユニットへ電力を供給するセル接続スイッチ手段と、
所定期間ごとに前記セル接続スイッチ手段のＯＮとＯＦＦとを繰り返すことで、前記ユニットを間欠稼動させる間欠稼動制御手段と
を備え、
前記セル容量目標値設定手段は、各セルに定められた電圧下限値に基づいて求めたセル容量調整電圧下限値を、前記セル容量調整目標電圧に設定し、
前記セル選択手段は、各セルの開放電圧を検出し、前記セル容量調整目標電圧以上の電圧値のセルの中から電圧値の高い順に所定個のセルを選択し、
前記間欠稼動制御手段は、該電動機器が動作を休止している間に全てのセルの電圧値が前記セル容量調整目標電圧以下となるまで前記ユニットの間欠稼動を繰返す
ことを特徴とするセル容量調整装置。
【発明の詳細な説明】
【技術分野】
【０００１】
本発明はセル容量調整装置に関し、特に、複数のセルで構成される組電池のセル間の容量調整を行うための装置に関する。
【背景技術】
【０００２】
複数のセルで構成される組電池では、従来、セル間の残容量ばらつきに起因する過放電および過充電の発生を防止するために、各セルのばらつきに応じて容量調整を行ない、容量を均一化する技術が知られている（例えば、特許文献１参照）。【０００３】
この技術においては、組電池を構成する複数のセルごとに放電回路を設け、残容量が高いセルについて放電させることにより、当該セルの残容量を、残容量が低いセルに合わせるようにして、残容量を均一に調整するようにしている。
【先行技術文献】
【特許文献】
【０００４】
【特許文献１】特許第３７０９７６６号公報
【発明の概要】
【発明が解決しようとする課題】
【０００５】
しかしながら、上記の従来技術では、相対的に残容量が高いセルを放電抵抗へ放電させて熱に変えることにより、当該セルの残容量を、残容量の低いセルの値に収束させるものであるため、貴重な電池蓄電エネルギーの損失が生じてしまうという欠点があった。【０００６】
本発明は、かかる問題点を解決するためになされたものであり、電池蓄電エネルギーを有効に活用しながら、セル間の残容量ばらつきを低減することが可能なセル容量調整装置を得ることを目的とする。
【課題を解決するための手段】
【０００７】
この発明は、複数のセルを直列接続して構成された組電池を主電源とする電動機器の動作休止中に該組電池のセル間の残容量ばらつきを低減するセル容量調整装置であって、セル容量調整目標電圧を設定するセル容量目標値設定手段と、前記組電池の各セルの開放電圧を検出し、前記セル容量調整目標電圧以上の電圧値のセルの中から所定個のセルを選択するセル選択手段と、前記セル選択手段によって選択されたセルを該電動機器の動作休止中にも稼動するユニットへ接続し、当該セルから前記ユニットへ電力を供給するセル接続スイッチ手段と、所定期間ごとに前記セル接続スイッチ手段のＯＮとＯＦＦとを繰り返すことで、前記ユニットを間欠稼動させる間欠稼動制御手段とを備え、前記セル容量目標値設定手段は、各セルに定められた電圧下限値に基づいて求めたセル容量調整電圧下限値を、前記セル容量調整目標電圧に設定し、前記セル選択手段は、各セルの開放電圧を検出し、前記セル容量調整目標電圧以上の電圧値のセルの中から電圧値の高い順に所定個のセルを選択し、前記間欠稼動制御手段は、該電動機器が動作を休止している間に全てのセルの電圧値が前記セル容量調整目標電圧以下となるまで前記ユニットの間欠稼動を繰返すことを特徴とするセル容量調整装置である。
【発明の効果】
【０００８】
この発明は、複数のセルを直列接続して構成された組電池を主電源とする電動機器の動作休止中に該組電池のセル間の残容量ばらつきを低減するセル容量調整装置であって、セル容量調整目標電圧を設定するセル容量目標値設定手段と、前記組電池の各セルの開放電圧を検出し、前記セル容量調整目標電圧以上の電圧値のセルの中から所定個のセルを選択するセル選択手段と、前記セル選択手段によって選択されたセルを該電動機器の動作休止中にも稼動するユニットへ接続し、当該セルから前記ユニットへ電力を供給するセル接続スイッチ手段と、所定期間ごとに前記セル接続スイッチ手段のＯＮとＯＦＦとを繰り返すことで、前記ユニットを間欠稼動させる間欠稼動制御手段とを備え、前記セル容量目標値設定手段は、各セルに定められた電圧下限値に基づいて求めたセル容量調整電圧下限値を、前記セル容量調整目標電圧に設定し、前記セル選択手段は、各セルの開放電圧を検出し、前記セル容量調整目標電圧以上の電圧値のセルの中から電圧値の高い順に所定個のセルを選択し、前記間欠稼動制御手段は、該電動機器が動作を休止している間に全てのセルの電圧値が前記セル容量調整目標電圧以下となるまで前記ユニットの間欠稼動を繰返すことを特徴とするセル容量調整装置であるので、当該間欠稼働により、電池蓄電エネルギーを有効に活用しながら、セル間の残容量ばらつきを低減する。
【図面の簡単な説明】
【０００９】
【図１】本発明の実施の形態１および２に係るセル容量調整装置の構成を示す構成図である。
【図２】本発明の実施の形態１に係るセル容量調整装置における容量調整の制御の流れを示すフローチャートである。
【図３】本発明の実施の形態１に係るセル容量調整装置における容量調整制御による各セルの電圧の推移をグラフで示す説明図である。
【図４】本発明の実施の形態２に係るセル容量調整装置における容量調整の制御の流れを示すフローチャートである。
【図５】本発明の実施の形態２に係るセル容量調整装置における容量調整制御による各セルの電圧の推移をグラフで示す説明図である。
【発明を実施するための形態】
【００１０】
以下、本発明の実施の形態を、図面を参照しながら説明する。
【００１１】
実施の形態１．
図１は、本発明の実施の形態１に係るセル容量調整装置の構成を示す図である。なお、以降では、図１〜５において、同一符号は、同一又は相当部分を示す。
【００１２】
本発明のセル容量調整装置は、例えば電気自動車等の電動機器に搭載されて使用される。電動機器は、複数のセルを直列接続して構成された組電池を主電源とする。本発明のセル容量調整装置は、電動機器の動作休止中に、該組電池のセル間の残容量ばらつきを低減させる。
【００１３】
本実施の形態では、図１に示すように、組電池１０１は、例えば、リチウムイオン電池のような、残容量が開放電圧と一定の比例関係にある電池である。組電池１０１は、複数のセル１１１，１１２，１１３，１１４，１１５，１１６を直列に接続して構成されている。各セル１１１〜１１６は、充電可能である。組電池１０１は、メインスイッチ１０２を介して、例えば、駆動用モータなどの負荷１０３に接続されている。組電池１０１は、負荷１０３に、直流電力を供給する。
【００１４】
各セル１１１〜１１６の両端子は、セルコントローラ１０４に接続される。セルコントローラ１０４は、セル電圧検出回路（図示せず）を含んでいる。セルコントローラ１０４は、セル電圧検出回路により、各セル１１１〜１１６の開放電圧を検出する。
【００１５】
各セル１１１〜１１６には、それぞれ、それらのセルに対して直列にスイッチ２０１〜２０６が接続されている。また、各セル１１１〜１１６には、それぞれ、並列にスイッチ２１１〜２１６が接続されている。スイッチ２０１〜２０６とスイッチ２１１〜２１６の開閉動作は、セルコントローラ１０４により制御される。
【００１６】
間欠稼動ユニット１０５は、電動機器の動作休止中にも動作する。間欠稼働ユニット１０５の消費電力は小さい。間欠稼働ユニット１０５の例は、例えば、車両防犯ユニットやキーレスエントリーのような、車両駐車中（すなわち、電動機器の動作休止中）にも動作するユニットが挙げられる。間欠稼働ユニット１０５にはスイッチ２００が接続されている。スイッチ２００の切り替えにより、間欠稼働ユニット１０５に対して、組電池１０１から電力を供給されるか、あるいは、補助電池１０６から電力を供給されるか選択される。スイッチ２００の切り替え動作はセルコントローラ１０４により制御される。また、補助電池１０６は、例えば、鉛蓄電池である。補助電池１０６は、セルコントローラ１０４へも電力を供給する。
【００１７】
なお、セルコントローラ１０４は、上記セル電圧検出回路以外に、制御用の内部回路を持つが、図１においては、これらの回路の図示は省略する。
【００１８】
つぎに、この実施の形態１に係るセル容量調整装置における、セル間の残容量ばらつきを低減する方法について、図面を参照しながら説明する。セル容量調整装置は、車両駐車中に、間欠稼動ユニット１０５を組電池１０１内の１つまたは複数のセルで稼働し、セルの間欠稼働を繰り返すことで、セル間の残容量ばらつきを低減する。
【００１９】
図２は、本発明の実施の形態１に係るセル容量調整装置において、セル間の残容量ばらつきを低減させる動作の一例を示すフローチャートである。図２に示すフローは、メインスイッチ１０２がＯＦＦで、負荷１０３に電力が供給されていない車両駐車中に実施される。
【００２０】
まず、ステップＳ１１０において、セルコントローラ１０４は、組電池１０１の全てのセル１１１〜１１６の開放電圧をセル電圧検出回路で検出する。次に、検出した開放電圧の中の最低電圧値を、セル容量調整目標電圧として設定する。なお、ここでは、セル容量調整目標電圧は最低電圧値としているが、その場合に限らず、最高電圧値を除いた任意の電圧値であれば良い。
【００２１】
次に、ステップＳ１２０において、セルコントローラ１０４は、全てのセル１１１〜１１６の開放電圧値が、所定のセル容量調整電圧下限値以下か否かを判定する。セル容量調整電圧下限値は、組電池１０１のセル１１１〜１１６に対して予め定められた電圧下限値に基づいて、予め求める。セル容量調整電圧下限値は、例えば、セル１１１〜１１６が間欠稼動ユニット１０５を１回稼動するのに必要な容量を残したときの電圧の値として求める。ステップＳ１２０の判定の結果、全てのセル１１１〜１１６の電圧値がセル容量調整電圧下限値以下と判断した場合には（ＹＥＳ）、組電池１０１からこれ以上放電すると過放電となるため、セル容量調整制御を終了する。一方、全てのセル１１１〜１１６の電圧値がセル容量調整電圧下限値以下ではないと判断した場合には（Ｎｏ）、ステップＳ１３０へ移行する。なお、ここでは、セル容量調整電圧下限値を、間欠稼動ユニット１０５を１回稼動するのに必要な容量を残したときの電圧としたが、その場合に限らず、組電池１０１が過放電にならないように定めた下限値であれば良い。
【００２２】
次に、ステップＳ１３０において、セルコントローラ１０４は、間欠稼動ユニット１０５を稼動させるのに必要な最低セル数が、セル容量調整目標電圧以上の電圧値を有するセルの個数より多いか否かを判定する。その結果、間欠稼動ユニット１０５を稼動させるのに必要な最低セル数が、セル容量調整目標電圧以上の電圧値を有するセルの個数より多いと判断した場合には（ＹＥＳ）、ステップＳ１１０へ戻り、セル容量調整目標電圧を再設定する。一方、間欠稼動ユニット１０５を稼動させるのに必要な最低セル数が、セル容量調整目標電圧以上の電圧値を有するセルの個数より少ないと判断した場合には（ＮＯ）、ステップＳ１４０へ移行する。
【００２３】
次に、ステップＳ１４０において、セルコントローラ１０４は、セル容量調整目標電圧以上の電圧値を有するセルを、セル１１１〜１１６の中から、１つまたは複数個の所定個を選択する。ここでは選択するセル数の所定個を３とする。なお、ここでは選択するセル数の所定個を３としたが、その場合に限らず、間欠稼動ユニット１０５を稼動できる電力を供給可能であれば、１つ以上の任意の数で良い。
【００２４】
続くステップＳ１５０では、セルコントローラ１０４は、先のステップＳ１４０において選択した３セルを間欠稼動ユニット１０５へ接続する。例えば、セル１１１，１１３，１１４を選択した場合、セルコントローラ１０４は、スイッチ２０１，２０３，２０４，２１２，２１５，２１６をオンにする。すなわち、選択されたセルに直列に接続されたスイッチをオンにするとともに、選択されなかったセルに並列に接続されたスイッチをオンにし、その他のスイッチはオフのままとする。また、それと同時に、セルコントローラ１０４は、スイッチ２００を組電池１０１側に接続し、組電池１０１から間欠稼動ユニット１０５へ電力を供給するようにする。
【００２５】
次に、ステップＳ１６０では、所定通電期間が経過したか否かを判定する。所定通電期間を経過していない場合（ＮＯ）は、所定通電期間が経過するまで、選択したセルによる間欠稼動ユニット１０５への電力供給を続ける。一方、所定通電期間が経過したと判断する（ＹＥＳ）と、ステップＳ１７０へ移行する。
【００２６】
ステップＳ１７０では、先のステップＳ１５０において間欠稼動ユニット１０５へ接続したセル（上記の礼では、セル１１１，１１３，１１４）を切り離し、間欠稼動ユニット１０５への電力供給を停止する。
【００２７】
次に、ステップＳ１８０では、所定停止期間が経過したか否かを判定する。所定停止期間を経過していない場合（ＮＯ）は、所定停止期間が経過するまで待ち、一方、所定停止期間が経過したと判断する（ＹＥＳ）と、ステップＳ１９０へ移行する。
【００２８】
次に、ステップＳ１９０において、全てのセル１１１〜１１６の電圧値がセル容量調整目標電圧以下か否かを判定する。判定の結果、全てのセル１１１〜１１６の電圧値がセル容量調整目標電圧以下でないと判断する（ＮＯ）と、ステップＳ１２０へ移行する。一方、全てのセル１１１〜１１６の電圧値がセル容量調整目標電圧以下であると判断する（ＹＥＳ）と、ステップＳ１１０へ戻り、セル容量調整目標電圧を再設定する。
【００２９】
以上のセル容量調整制御による各セル電圧の推移は、例えば図３（ａ）〜（ｆ）に示される。図３における横軸の符号１１１〜１１６は、それぞれ、図１の各セル１１１〜１１６を示し、縦軸は電圧値を示す。
【００３０】
まず、制御開始時点において、図３（ａ）のようにセル電圧が分布している場合を考える。この場合は、最低電圧となるセル１１５の電圧値をセル容量調整目標電圧とする。続いて、当該セル容量調整目標電圧以上の電圧値を有するセルを、セル１１１〜１１４，１１６の中から選択する。なお、このとき、電圧値の高いものから順に所定個選択することが望ましい。いま、セル１１１，１１３，１１４を選択したとすると、スイッチ２０１，２０３，２０４，２１２，２１５，２１６をオンすることで、セル１１１，１１３，１１４を間欠稼動ユニット１０５へ接続し稼動させる。
【００３１】
間欠稼動ユニット１０５の稼動開始後、所定通電期間が経過すると、間欠稼動ユニット１０５で消費された電力容量だけ、セル１１１，１１３，１１４の開放電圧が低下する。そのため、セル電圧の分布は、図３（ｂ）の状態になる。このときでも、まだ、全てのセル１１１〜１１６の電圧値が前記セル容量調整目標電圧以下となっていない。そのため、所定停止期間後、セル容量調整制御を継続するために、前記セル容量調整目標電圧以上の電圧値のセルを選択し直す。ここでも、電圧値の高いものから順に所定個選択することが望ましい。従って、この場合は、セル１１１，１１３，１１６を選択し、それらを間欠稼動ユニット１０５へ接続し稼動させると、図３（ｃ）の状態となる。なお、このときオンするスイッチは、スイッチ２０１，２０３，２０６，２１２，２１４，２１５である。
【００３２】
同様の手順で、図３（ｃ）においては、セル１１１，１１２，１１４を選択する。続いて、図３（ｄ）においては、セル１１１，１１３，１１６を選択する。さらに、図３（ｅ）においては、セル１１２，１１３，１１４を選択する。こうして、選択したセルを用いて、間欠稼動ユニット１０５を稼動させることで、セル電圧分布は、図３（ｆ）のようになる。図３（ｆ）において、全てのセル１１１〜１１６の電圧値がセル容量調整目標電圧以下となる。なお、図３（ｆ）で図示されるように、各セルの電圧値は間欠稼動ユニット１０５の１回稼動分程度のばらつきが残るが、実際は、間欠稼動ユニット１０５は低消費電力のユニットであり、一度の動作で低下する開放電圧は小さいため、過放電および過充電の発生を防止できる程度にばらつきが低減されることとなる。
【００３３】
以上のように、本実施の形態１によれば、前記セル容量調整目標電圧以上の電圧値のセルから１つまたは複数個選択し、選択したセルから間欠稼動ユニット１０５へ電力を供給し、間欠稼動を繰返すことにより、組電池１０１のエネルギーを無駄に放電することなく、組電池の電池蓄電エネルギーを有効に活用しながら、セル間の残容量ばらつきを低減することができる。さらに、全てのセルの電圧値がセル容量調整電圧下限値以下である場合にセル容量調整制御を終了することで、組電池１０１の過放電を防ぐことが出来る。
【００３４】
なお、先のステップＳ１９０において、全てのセルの電圧値がセル容量調整目標電圧以下であると判断した（ＹＥＳ）場合、この時点で各セルの残容量のばらつきは低減されているため、セル容量調整制御を終了しても良い。この場合、セルコントローラ１０４は間欠稼動ユニット１０５が必要な電力を補助電池１０６から供給するようにスイッチ２００を切り替えることで、間欠稼動ユニット１０５を継続して利用することができる。
【００３５】
実施の形態２．
本発明の実施の形態２に係るセル容量調整装置について図４に示すフローチャートを参照しながら説明する。なお、この発明の実施の形態２に係るセル容量調整装置の構成は、上記の図１に示した実施の形態１と同様である。そのため、当該構成については、図１を参照することとし、ここでは説明を省略する。
【００３６】
ステップＳ５１０において、セルコントローラ１０４は、組電池１０１のセル１１１〜１１６に対して予め定められた電圧下限値に基づいて求めたセル容量調整電圧下限値をセル容量調整目標電圧に設定する。すなわち、実施の形態１と同様に、例えば、セル容量調整電圧下限値を、セル１１１〜１１６が間欠稼働ユニットを１回稼働するのに必要な容量を残したときの電圧とする。
【００３７】
次に、ステップＳ５２０において、セルコントローラ１０４は、全てのセル１１１〜１１６の電圧値がセル容量調整目標電圧以下か否かを判定する。判定の結果、全てのセルの電圧値がセル容量調整目標電圧以下でないと判断した場合には（ＮＯ）、ステップＳ５３０へ移行する。一方、全てのセルの電圧値がセル容量調整目標電圧以下であると判断した場合には（ＹＥＳ）、セル容量調整目標電圧は、本実施の形態においては、上述の通り、セル容量調整電圧下限値であるので、組電池１０１からこれ以上放電すると過放電となるため、セル容量調整制御を終了する。
【００３８】
ステップＳ５３０において、セルコントローラ１０４は、間欠稼動ユニット１０５を稼動させるのに必要な最低セル数が、セル容量調整目標電圧以上の電圧を有するセルの個数より多いか否かを判定する。判定の結果、間欠稼動ユニット１０５を稼動させるのに必要な最低セル数が、セル容量調整目標電圧以上の電圧を有するセルの個数より少ないと判断した場合には（ＮＯ）、ステップＳ５４０へ移行する。一方、間欠稼動ユニット１０５を稼動させるのに必要な最低セル数が、セル容量調整目標電圧以上の電圧を有するセルの個数より多いと判断した場合には（ＹＥＳ）、選択したセルのうち１つ以上がこれ以上放電すると過放電となるため、セル容量調整制御を終了する。
【００３９】
次に、ステップＳ５４０において、セルコントローラ１０４は、セル容量目標電圧以上の電圧値のセルの中から電圧値の高い順に１つまたは複数個選択する。ここでは選択するセル数を３とする。なお、ここでは選択するセル数を３としたが、この場合に限らず、間欠稼動ユニット１０５を稼動できる電力を供給可能であれば１つ以上の任意の数で良い。
【００４０】
続く、ステップＳ５５０の処理は、図２に示すフローチャートのステップＳ１５０の処理と同じである。すなわち、セルコントローラ１０４は、先のステップＳ５４０において選択した３セルを間欠稼動ユニット１０５へ接続する。例えば、セル１１１，１１３，１１４を選択した場合、セルコントローラ１０４は、スイッチ２０１，２０３，２０４，２１２，２１５，２１６をオンにし、スイッチ２００を組電池１０１側に接続し、組電池１０１から間欠稼動ユニット１０５へ電力を供給する。
【００４１】
続く、ステップＳ５６０の処理は、図２に示すフローチャートのステップＳ１６０の処理と同じである。すなわち、セルコントローラ１０４は、所定通電期間が経過したか否かを判定する。所定通電期間を経過していない場合（ＮＯ）は、所定通電期間が経過するまで間欠稼動ユニット１０５へ電力供給を続ける。一方、所定通電期間が経過したと判断する（ＹＥＳ）と、ステップＳ５７０へ移行する。
【００４２】
ステップＳ５７０の処理は、図２に示すフローチャートのステップＳ１７０の処理と同じである。すなわち、セルコントローラ１０４は、先のステップＳ５５０において間欠稼動ユニット１０５へ接続したセルを切り離し、間欠稼動ユニット１０５への電力供給を停止する。
【００４３】
続く、ステップＳ５８０の処理は、図２に示すフローチャートのステップＳ１８０の処理と同じである。すなわち、セルコントローラ１０４は、所定停止期間が経過したか否かを判定する。所定停止期間を経過していない場合（ＮＯ）は、所定停止期間が経過するまで待ち、一方、所定停止期間が経過したと判断する（ＹＥＳ）と、ステップＳ５２０へ移行する。
【００４４】
以上のセル容量調整制御による各セル電圧の推移は、例えば図５（ｐ）〜（ｓ）に示される。図５における横軸の符号１１１〜１１６は、図１の各セル１１１〜１１６を示し、縦軸は電圧値を示す。
【００４５】
まず、セル容量調整電圧下限値をセル容量調整目標電圧とする。制御開始時点において図５（ｐ）のようにセル電圧が分布する場合を考える。セル容量調整目標電圧以上の電圧値のセルの中で、電圧値の高い順に３つのセル、すなわち、セル１１１，１１３，１１４を選択する。すなわち、スイッチ２０１，２０３，２０４，２１２，２１５，２１６をオンすることで、それらのセル１１１，１１３，１１４を間欠稼動ユニット１０５へ接続し稼動させる。間欠稼動ユニット１０５の稼働開始後、所定通電期間が経過したら、間欠稼動ユニット１０５で消費された電力容量の分だけ、セル１１１，１１３，１１４の開放電圧が低下する。これにより、セル電圧の分布は図５（ｑ）のようになる。しかしながら、全てのセルの電圧値がセル容量調整目標電圧以下となっていないため、所定停止期間後に、セル容量調整制御を継続する。すなわち、セル容量調整目標電圧以上の電圧値のセルの中で電圧値の高い順に３つのセル１１１，１１３，１１６を選択し、間欠稼動ユニット１０５へ接続し稼動させる。これにより、図５（ｒ）となる。なお、このときオンするスイッチはスイッチ２０１，２０３，２０６，２１２，２１４，２１５である。同様の手順で図５（ｒ）においては、セル１１１，１１２，１１４を選択し、間欠稼動ユニット１０５を稼動させることで、セル電圧分布は図５（ｓ）のようになる。このようにして、セル間の残容量ばらつきを低減することができる。
【００４６】
以上のように、本実施の形態２によれば、上述した実施の形態１と同様の効果が得られるとともに、さらに、セル容量調整目標電圧をセル容量調整電圧下限値にすることで、セル容量調整目標電圧の再設定を何度も行わないようにし、制御方法を簡略化しながらも、セル間の残容量ばらつきを低減することができるという効果が得られる。さらに、間欠稼動ユニット１０５を稼動させるのに必要な最低セル数がセル容量調整電圧下限値以上のセル数より多い場合にセル容量調整制御を終了することで、組電池１０１の過放電を防ぐことが出来る。
【００４７】
なお、上述した実施の形態１及び２のフローチャートには示していないが、メインスイッチ１０２がオンするとスイッチ２００を組電池１０１側から切断し、セル容量調整制御を終了する。
【００４８】
また、上述した実施の形態１及び２では、組電池１０１は６個のセルが直列接続された構成について説明したが、本発明の適用はこのような構成に限定されるものではない。例えば、２以上の任意の複数個のセルが直列あるいは直並列に接続された構成の二次電池のセル容量調整制御において、本発明を共通に適用できる。なお、組電池１０１は、リチウムイオン電池としたが、残容量が開放電圧と一定の比例関係にある電池であればよい。
【００４９】
さらに、上述した実施の形態１及び２では、本発明を電気自動車に適用した場合について説明した。しかしながら、電気自動車に限らず、２以上の任意の複数個のセルが直列あるいは直並列に接続された構成の二次電池を主電源とするシステムに適用可能であることはいうまでもない。
【符号の説明】
【００５０】
１０１  組電池、１０２  メインスイッチ、１０３  負荷、１０４  セルコントローラ、１０５  間欠稼動ユニット、１０６  補助電池、１１１，１１２，１１３，１１４，１１５，１１６  セル、２００，２０１，２０２，２０３，２０４，２０５，２０６，２１１，２１２，２１３，２１４，２１５，２１６  スイッチ。
【図１】
0005484557.tif 000002
【図２】
0005484557.tif 000003
【図３】
0005484557.tif 000004
【図４】
0005484557.tif 000005
【図５】
0005484557.tif 000006